(57)【要約】【課題】表示部の性能を引き出した映像表示を行うことができる表示制御技術を提供する。【解決手段】入力データを取得する入力データ取得部（１１１）と、入力データを参照して、表示画像を生成する表示画像生成部（１１３）とを備え、表示部（１２０）が有する解像度よりも低い解像度を有する画像データを含む入力データを取得した場合、表示画像生成部（１１３）は、入力データを参照して関連表示情報を生成又は取得し、当該生成又は取得した関連表示情報を含む表示画像を生成する。【選択図】図１
2019125825.tif 000002
【特許請求の範囲】
【請求項１】
入力データを取得する入力データ取得部と、
上記入力データ取得部が取得した入力データを参照して、表示部に表示する表示画像を生成する表示画像生成部と
を備え、
上記入力データ取得部が、上記表示部が有する解像度よりも低い解像度を有する画像データを含む入力データを取得した場合、上記表示画像生成部は、当該入力データを参照して関連表示情報を生成又は取得し、当該生成又は取得した関連表示情報を含む表示画像を生成する
ことを特徴とする表示制御装置。
【請求項２】
上記表示画像生成部は、上記入力データに含まれるメタデータを参照して、上記関連表示情報を取得することを特徴とする請求項１に記載の表示制御装置。
【請求項３】
上記表示画像生成部は、上記入力データに含まれる画像データを解析することにより、上記関連表示情報を生成することを特徴とする請求項１または２に記載の表示制御装置。
【請求項４】
上記表示画像生成部は、上記関連表示情報を含む画像であることを示す情報を含む上記表示画像を生成することを特徴とする請求項１から３の何れか一項に記載の表示制御装置。
【請求項５】
上記表示画像生成部は、上記関連表示情報であることを示すエフェクトを加えた上記表示画像を生成することを特徴とする請求項１から４の何れか一項に記載の表示制御装置。
【請求項６】
請求項１〜５の何れか１項に記載の表示制御装置を備えていることを特徴とする、テレビジョン受信機。
【請求項７】
入力データを取得する入力データ取得ステップと、
取得した入力データに応じて、表示部に表示する表示画像を生成する表示画像生成ステップと
を含み、
表示画像生成ステップは、上記入力データ取得ステップにおいて取得した入力データが、上記表示部が有する解像度よりも低い解像度を有する画像データを含む場合に、当該入力データを参照して関連表示情報を生成又は取得し、当該生成又は取得した関連表示情報を含む表示画像を生成するステップを含む
ことを特徴とする表示制御方法。
【請求項８】
請求項１から４の何れか一項に記載の表示制御装置としてコンピュータを機能させるための制御プログラムであって、上記表示画像生成部としてコンピュータを機能させるための制御プログラム。
【請求項９】
請求項８に記載の制御プログラムを記録したコンピュータ読み取り可能な記録媒体。
【発明の詳細な説明】
【技術分野】
【０００１】
本発明は、表示制御装置、テレビジョン受信機、表示制御方法、制御プログラム、及び記録媒体に関する。
【背景技術】
【０００２】
近年、表示装置の表示能力が、超高精細度の映像に対応するまで向上してきている。一方で、高画質データはデータ量が大きいため、リアルタイムでの送出や、ストリーミング再生に課題がある。そこで、リアルタイム再生可能な放送局からの映像データを録画するとともに、放送局からの映像データと同一で、より高品位なデータをネットワークを介して取得し、既に録画されている映像データと置き換える録画技術が提案されている（例えば、特許文献１参照）。
【先行技術文献】
【特許文献】
【０００３】
【特許文献１】特開２００８−１７７６８２号公報（２００８年７月３１日公開）
【特許文献２】特開２０１０−７９００７号公報（２０１０年４月８日）
【発明の概要】
【発明が解決しようとする課題】
【０００４】
ところで、近年、スマートフォンや、ゲーム機などの小型の映像表示画面を持つ機器に表示されている映像を、テレビなどの大型の映像表示画面を持つ機器に表示する場面が増えている。そして、このような場面でも、表示装置側の超高精細度の映像に対応可能な表示能力を引き出すことができる表示制御技術に対する要望がある。
【０００５】
本発明の一態様は、上述した事情に鑑みてなされたものであり、表示部の性能を引き出した映像表示を行うことができる表示制御技術を提供することを目的とする。
【課題を解決するための手段】
【０００６】
上記の課題を解決するために、本発明の一態様に係る表示制御装置は、入力データを取得する入力データ取得部と、上記入力データ取得部が取得した入力データを参照して、表示部に表示する表示画像を生成する表示画像生成部とを備え、上記入力データ取得部が、上記表示部が有する解像度よりも低い解像度を有する画像データを含む入力データを取得した場合、上記表示画像生成部は、当該入力データを参照して関連表示情報を生成又は取得し、当該生成又は取得した関連表示情報を含む表示画像を生成する構成である。
【０００７】
上記の課題を解決するために、本発明の一態様に係る表示制御方法は、入力データを取得する入力データ取得ステップと、取得した入力データに応じて、表示部に表示する表示画像を生成する表示画像生成ステップとを含み、表示画像生成ステップは、上記入力データ取得ステップにおいて取得した入力データが、上記表示部が有する解像度よりも低い解像度を有する画像データを含む場合に、当該入力データを参照して関連表示情報を生成又は取得し、当該生成又は取得した関連表示情報を含む表示画像を生成するステップを含む方法である。
【発明の効果】
【０００８】
本発明の一態様によれば、表示部の性能を引き出した映像表示を行うことができる。
【図面の簡単な説明】
【０００９】
【図１】テレビジョン受信機の概略構成を示すブロック図である。
【図２】テレビジョン受信機の外観を示す正面図である。
【図３】表示制御装置の処理の流れを示すフローチャートである。
【図４】表示部の表示の一例を示す図である。
【図５】本発明の実施形態２に係る表示制御装置の処理の流れを示すフローチャートである。
【図６】本発明の実施形態２に係る表示部の表示の一例を示す図である。
【発明を実施するための形態】
【００１０】
〔実施形態１〕
図１は、本発明の実施形態１に係るテレビジョン受信機１００の概略構成を示すブロック図である。図２は、テレビジョン受信機１００の外観を示す正面図である。
【００１１】
図１に示すように、テレビジョン受信機１００は、外部機器１５０が送出するデータを入力データとして取得し、取得した入力データを参照して、表示画像を表示部１２０に表示する。なお、テレビジョン受信機１００は、外部機器１５０が送出するデータに限らず、放送波を受信して、放送波に応じた画像を表示部１２０に表示することができる機器であってもよい。
【００１２】
〔外部機器１５０〕
外部機器１５０は、例えばスマートフォンやゲーム機器などの、表示画面を備えた電子機器である。外部機器１５０は、テレビジョン受信機１００と、有線又は無線接続可能に構成され、外部機器１５０の表示画面に表示されている映像をテレビジョン受信機１００の表示部１２０に表示させることができる機能を有する機器である。つまり、外部機器１５０は、テレビジョン受信機１００のキャスト端末として機能させることができる。
【００１３】
外部機器１５０は、データ送出部１５１と、制御部１５２と、を含んでいる。
【００１４】
データ送出部１５１は、映像信号、テキストデータ、画質制御メタデータ、表示制御用メタデータ等のデータを送出する。画質制御メタデータは、送出するデータの画質を制御するのに用いるメタデータであり、送出するデータの元データを格納するサーバのＩＰアドレスやＵＲＬ等の情報を含んでいてもよい。表示制御用メタデータは、送出するデータの表示を制御するのに用いるメタデータであり、送出データに含まれる映像やテキストデータの表示位置や表示サイズを制御する情報を含んでいてもよい。
【００１５】
制御部１５２は、外部機器１５０の各部に対する全般的な制御を行う。制御部１５２は、図示は省略するが、ユーザによって画面や音声をキャストする操作が行われると、当該操作に応じたデータをデータ送出部１５１を介して送出する。
【００１６】
〔テレビジョン受信機１００の構成〕
図２に示すように、テレビジョン受信機１００は、外部機器１５０から取得した入力データに応じた画像を表示する表示部１２０を備えている。表示部１２０は、例えば、液晶ディスプレイ、有機ＥＬ（Electro Luminescence）ディスプレイ（ＯＬＥＤ）、プラズマディスプレイ、及びプロジェクター等である。
【００１７】
図１に示すように、テレビジョン受信機１００は、表示制御装置１１０、表示部１２０、記憶部１３０、及び操作部１４０を備えている。
【００１８】
表示制御装置１１０は、入力データ取得部１１１、関連情報取得部１１２、表示画像生成部１１３、及び表示制御部１１４を備えている。
【００１９】
入力データ取得部１１１は、外部機器１５０から送出されるデータを、入力データとして取得する。また、入力データ取得部１１１は、取得した入力データを、画像データと、音声データと、メタデータとに分離する。なお、入力データ取得部１１１が取得するデータに含まれる画像データは、動画像データであってもよいし、静止画像データであってもよい。
【００２０】
関連情報取得部１１２は、インターネット等の伝送経路を介して、外部サーバ１８０と通信する。外部サーバ１８０は、入力データ取得部１１１が取得した入力データに含まれるメタデータから検出されるＩＰアドレスやＵＲＬ等によって特定可能な、例えばウェブサーバであり、入力データに関連する情報を格納している。
【００２１】
表示画像生成部１１３は、入力データ取得部が取得した入力データを参照して、表示部１２０に表示する表示画像を生成する。表示画像生成部１１３は、入力データが画像データを含む場合に、当該画像データの解像度を参照する。表示画像生成部１１３は、表示部１２０が有する解像度よりも低い解像度を有する画像データを含む入力データを取得した場合、表示部１２０が有する解像度の性能を引き出すことができる表示画像を生成する。表示画像生成部１１３は、生成した表示画像を表示制御部１１４に提供する。
【００２２】
表示画像生成部１１３は、入力データに含まれるテキストデータの文字やアイコンを、記憶部１３０に予め記憶されている表示部１２０が有する解像度に応じた高精細文字及び高精細アイコンにそれぞれ置き換えた表示画像を生成する。また、表示画像生成部１１３は、入力データに含まれるメタデータを参照して、入力データに含まれるテキストデータの文字やアイコンに関連する、関連表示情報を格納する外部サーバ１８０を特定してもよい。そして、表示画像生成部１１３は、関連情報取得部１１２を介して、入力データに含まれるテキストデータの文字やアイコンに関連する、関連表示情報である高精細文字及び高精細アイコンを外部サーバ１８０から取得してもよい。
【００２３】
また、表示画像生成部１１３は、入力データに含まれる画像データを画像解析することにより、画像中の文字やアイコンを抽出することができてもよい。そして、表示画像生成部１１３は、画像中から抽出した文字やアイコンに関連する、関連表示情報である高精細文字及び高精細アイコンを生成したり、記憶部１３０、又は外部サーバ１８０から取得したりしてもよい。
【００２４】
このように、表示画像生成部１１３は、入力データを参照して、入力データに含まれるテキストデータの文字やアイコンに対応する高精細文字及び高精細アイコンを関連表示情報として生成又は取得し、生成又は取得した関連表示情報を含む表示画像を生成する。
【００２５】
また、表示画像生成部１１３は、入力データに含まれる、表示部１２０が有する解像度よりも低い解像度を有する画像データのメタデータを参照して、当該画像データの高解像度データを格納する外部サーバ１８０を特定する。そして、表示画像生成部１１３は、関連情報取得部１１２を介して、入力データに含まれる画像データの高解像度データを、画像データの関連表示情報として、外部サーバ１８０から取得する。
【００２６】
なお、メタデータが、画像データに埋め込まれている場合には、表示画像生成部１１３は、画像データからメタデータを抽出して、抽出したメタデータから外部サーバ１８０を特定するためのサーバ情報を検出してもよい。
【００２７】
表示画像生成部１１３は、入力データを参照して、生成又は取得した関連表示情報を含む表示画像を生成し、表示制御部１１４に提供する。
【００２８】
このように、表示画像生成部１１３は、入力データ取得部１１１が、表示部１２０が有する解像度よりも低い解像度を有する画像データを含む入力データを取得した場合、当該入力データを参照して、関連表示情報を生成又は取得する。ここで、関連表示情報とは、外部機器１５０の表示画面に表示されている画像と同じ画像であり、且つ、表示部１２０が有する解像度に対応する高精細な画像であってもよい。また、関連表示情報は、外部機器１５０の表示画面に表示されている文字やアイコンと同じ文字やアイコンであり、且つ、表示部１２０が有する解像度に対応する高精細文字や高精細アイコンである。また、関連表示情報は、外部機器１５０の表示画面に表示されている画像、文字、及びアイコンに関連する情報、例えば、特典映像や関連商品等の情報であってもよい。表示画像生成部１１３は、生成又は取得した関連表示情報を含む表示画像を生成する。
【００２９】
また、表示画像生成部１１３は、入力データ取得部１１１が取得した入力データに含まれるメタデータを参照して、外部機器１５０又は外部サーバ１８０から関連表示情報を取得してもよい。
【００３０】
また、表示画像生成部１１３は、入力データ取得部１１１が取得した入力データに含まれる画像データを解析することにより、画像中の文字やアイコンを抽出し、当該文字やアイコンに関連する、関連表示情報を生成してもよい。
【００３１】
表示制御部１１４は、表示画像生成部１１３によって生成された表示画像を表示部１２０に出力し、表示させる。
【００３２】
記憶部１３０は、テレビジョン受信機１００に内蔵された本体メモリであり、上述した高精細文字、及び、高精細アイコンを記憶している。
【００３３】
操作部１４０は、テレビジョン受信機１００に設けられた操作ボタンであってもよいし、テレビジョン受信機１００と通信可能な不図示のリモートコントローラであってもよい。
【００３４】
〔表示制御装置１１０の処理の流れ〕
図３は、表示制御装置１１０による処理の流れを示すフローチャートである。
【００３５】
（ステップＳ１１）
表示制御装置１１０は、入力データ取得部１１１の機能により、外部機器１５０から送出されるデータを入力データとして取得する。
【００３６】
（ステップＳ１２）
表示制御装置１１０は、表示画像生成部１１３の機能により、取得した入力データに画像制御メタデータが含まれているか否かを判定する。入力データに画像制御メタデータが含まれていると判定すると、表示画像生成部１１３は、ステップＳ１３に進む。入力データに画像制御メタデータが含まれていないと判定すると、表示画像生成部１１３は、ステップＳ１４に進む。
【００３７】
（ステップＳ１３）
表示画像生成部１１３は、メタデータを参照して、より高画質な映像データを外部サーバ１８０より関連情報取得部１１２を介して取得する。表示画像生成部１１３は、外部サーバ１８０より取得したより高画質な映像データを、入力データに含まれる映像データと置き換える。
【００３８】
（ステップＳ１４）
表示画像生成部１１３は、入力データに含まれる文字及びアイコンを検出する。
【００３９】
（ステップＳ１５）
表示画像生成部１１３は、検出した文字及びアイコンに該当する表示画素範囲を、記憶部１３０に記憶している高精細文字、及び高精細アイコンのデータに置き換える。ステップＳ１３及び、ステップＳ１５によって、表示画像生成部１１３は、高画質な映像データ、高精細文字、及び高精細アイコンのデータを含む表示画像を生成する。
【００４０】
（ステップＳ１６）
表示画像生成部１１３は、生成した表示画像を、表示制御部１１４を介して、表示部１２０に出力し表示させる。
【００４１】
〔表示部１２０の表示例〕
図４は、表示部１２０に表示された、表示画像生成部１１３によって生成された表示画像の一例を示す図である。図４に示すように、表示部１２０には、外部機器１５０Ａの表示画面１５５に表示されている画面と同様の画面が表示される。外部機器１５０Ａは、例えばスマートフォンであり、スマートフォンの画面をテレビジョン受信機１００の表示部１２０に表示させることができる。
【００４２】
外部機器１５０Ａの表示画面１５５には、映像１６４がＦＨＤ（Full High Difinition）解像度で表示されている。また、表示画面１５５には、複数のアイコン１６３と、テキスト１６５とが、ＦＨＤ解像度で表示されている。
【００４３】
入力データ取得部１１１は、外部機器１５０Ａから映像１６４、複数のアイコン１６３、及びテキスト１６５のデータを含む入力データを取得する。表示画像生成部１１３は、映像１６４の関連表示情報である、映像１６４よりも高画質な映像１２４を含む表示画像を生成する。例えば、表示部１２０が有する解像度が８Ｋ（ＦＨＤの縦横４倍の解像度）であるテレビジョン受信機１００では、表示画像生成部１１３は、８Ｋ解像度の映像１２４を含む表示画像を生成する。
【００４４】
また、表示画像生成部１１３は、入力データに含まれるテキスト１６５の文字を、記憶部１３０に記憶した高精細文字と置き換え、例えば８Ｋ解像度のテキスト１２５を生成し、テキスト１２５を含む表示画像を生成する。
【００４５】
また、表示画像生成部１１３は、入力データと同時に外部機器１５０Ａから送出されたアイコン１６３の高画質アイコンデータ取得して、８Ｋ解像度のアイコン１２３を含む表示画像を生成する。
【００４６】
表示部１２０には、８Ｋ解像度の映像１２４、８Ｋ解像度のテキスト１２５、及び８Ｋ解像度のアイコン１２３を含む表示画像が表示される。
【００４７】
また、表示画像生成部１１３は、入力データを参照して生成又は取得された関連表示情報、すなわち入力データに含まれる映像、文字、及びアイコンよりも高画質な映像、文字、及びアイコンを含む画像であることを示す情報を含む表示画を生成してもよい。関連表示情報を含む画像であることを示す情報は、例えば、図４中の右隅に示した「８Ｋ画質表示」といった文字情報１２２であってもよい。
【００４８】
これらの構成によれば、表示制御装置１１０は、外部機器１５０からの映像をテレビジョン受信機１００の表示部１２０に表示する際に、例えば８Ｋ解像度等の表示部１２０が有する解像度の性能を引き出すことができる表示画像を生成する。よって、ユーザは、表示部１２０の性能を享受し、手軽に高画質の映像を楽しむことができる。
【００４９】
本発明の実施形態２について、以下に説明する。なお、説明の便宜上、上記実施形態１にて説明した部材と同じ機能を有する部材については、同じ符号を付記し、その説明を繰り返さない。また、実施形態２のテレビジョン受信機１００の構成は、図１及び図２で示した実施形態１のテレビジョン受信機１００と同一であり、その説明を繰り返さない。
【００５０】
実施形態２のテレビジョン受信機１００は、表示画像生成部１１３は、外部機器１５０から取得した入力データと、当該入力データを参照して生成又は取得した、入力データに関連する関連表示情報との、表示サイズや表示位置を調整して表示する。
【００５１】
図５は、実施形態２における表示制御装置１１０の処理の流れを示すフローチャートである。図６は、実施形態２における表示制御装置１１０の処理によって、表示部１２０に表示される表示画像の一例を示す図である。
【００５２】
〔表示制御装置１１０の処理の流れ〕
（ステップＳ２１）
表示制御装置１１０は、入力データ取得部１１１の機能により、外部機器１５０から送出されるデータを入力データとして取得する。
【００５３】
（ステップＳ２２）
表示制御装置１１０は、表示画像生成部１１３の機能により、取得した入力データに表示制御用メタデータが含まれているか否かを判定する。入力データに表示制御用メタデータが含まれていると判定すると、表示画像生成部１１３は、ステップＳ２５に進む。入力データに表示制御用メタデータが含まれていないと判定すると、表示画像生成部１１３は、ステップＳ２３に進む。
【００５４】
（ステップＳ２３）
表示画像生成部１１３は、入力データを参照して、入力データにメタデータが埋め込まれている場合には、当該メタデータを入力データから抽出する。そして、表示画像生成部１１３は、入力データに埋め込まれたメタデータからサーバ情報を検出できるか否かを判定する。入力データに埋め込まれたメタデータからサーバ情報を検出できると判定すると、表示画像生成部１１３は、ステップＳ２４に進む。入力データに埋め込まれたメタデータからサーバ情報を検出できないと判定すると、表示画像生成部１１３は、処理を終了する。
【００５５】
（ステップＳ２４）
表示画像生成部１１３は、入力データに埋め込まれたメタデータから検出したサーバ情報を参照して、入力データの関連表示情報を格納する外部サーバ１８０を特定する。表示画像生成部１１３は、特定した外部サーバ１８０は、入力データの関連表示情報と、制御情報とを要求し、外部サーバ１８０から提供される関連表示情報と、制御情報とを取得する。
【００５６】
（ステップＳ２５）
表示画像生成部１１３は、入力データに含まれている表示制御用メタデータを参照して、入力データの関連表示情報を格納する外部サーバ１８０を特定する。表示画像生成部１１３は、特定した外部サーバ１８０は、入力データの関連表示情報を取得する。
【００５７】
（ステップＳ２６）
表示画像生成部１１３は、入力データに含まれる画像データと、外部サーバ１８０から取得した関連表示情報との、表示サイズ、及び表示位置を制御情報を参照して調整し、表示画像を生成する。
【００５８】
〔表示部１２０の表示例〕
図６は、表示部１２０に表示された、表示画像生成部１１３によって生成された表示画像の一例を示す図である。図６に示すように、表示部１２０には、外部機器１５０Ｂの表示画面に表示されている画面と同様の画面を含む表示画像が表示される。外部機器１５０Ｂは、例えばゲーム機器であり、ゲーム機器の表示画面に表示されている映像１６６を含む表示画像をテレビジョン受信機１００の表示部１２０に表示させることができる。
【００５９】
外部機器１５０Ｂの表示画面には、映像１６６がＦＨＤ（Full High Difinition）解像度又は４Ｋ解像度の何れか一方で表示されている。
【００６０】
入力データ取得部１１１は、外部機器１５０Ｂから映像１６６のデータを含む入力データを取得する。表示画像生成部１１３は、入力データ中のメタデータを参照して、関連表示情報を関連情報取得部１１２を介して外部サーバ１８０から取得する。表示画像生成部１１３は、例えば、ゲーム機本体に関する関連表示情報やゲームソフトに関する関連表示情報を含む表示画像を生成する。
【００６１】
表示画像生成部１１３は、入力データに含まれた表示制御メタデータ、又は、外部サーバ１８０から取得した表示制御用の制御情報を参照して、入力データに応じたＨｏｍｅ画面を生成する。表示制御メタデータ、又は制御情報には、表示する関連表示情報の種類、各関連表示情報の表示位置と表示サイズ、及び、映像１６６の表示位置と表示サイズとを指定する情報が含まれている。
【００６２】
図６に示した例では、表示画像生成部１１３によって生成される表示画像には、関連表示情報を表示する表示エリア１２６と、表示エリア１２６に表示可能な関連表示情報のそれぞれを示すアイコン１２７Ａや、ゲームに関する関連表示情報であるゲームのリアルタイムランキング等を示すテキスト１２７Ｂと、が含まれている。表示画像生成部１１３は、入力データに含まれた表示制御メタデータ、又は外部サーバ１８０から取得した表示制御用の制御情報を参照して、表示エリア１２６の周囲に、関連表示情報を示すアイコン１２７Ａ、及びテキスト１２７Ｂを配置した表示画像を生成してもよい。
【００６３】
また、表示画像生成部１１３は、アイコン１２７Ａや、テキスト１２７Ｂが関連表示情報であることを示すエフェクトを加えた表示画像を生成してもよい。表示画像生成部１１３は、アイコン１２７Ａや、テキスト１２７Ｂを、例えば、周囲が光るようにハイライト表示するエフェクトを加えた表示画像を生成してもよい。
【００６４】
表示画像生成部１１３は、例えば、表示エリア１２６に、外部機器１５０Ｂの表示画面に表示されている映像１６６と同一の映像が表示されている画像をＨｏｍｅ画像とする表示画像を生成する。
【００６５】
ユーザによって、特典映像を表示するアイコン１２７Ａを選択する操作が行われると、表示画像生成部１１３は、特典映像を表示エリア１２６に表示する表示画像を生成する。また、ユーザによって、攻略情報を表示するアイコン１２７Ａを選択する操作が行われると、表示画像生成部１１３は、攻略情報を表示エリア１２６に表示する表示画像を生成する。また、ユーザによって、関連商品を表示するアイコン１２７Ａを選択する操作が行われると、表示画像生成部１１３は、関連商品を表示エリア１２６に表示する表示画像を生成する。
【００６６】
また、ユーザによって、Ｈｏｍｅ画面を表示部１２０に表示するアイコン１２８を選択する操作が行われると、表示画像生成部１１３は、映像１６６と同一の映像を表示エリア１２６に表示する表示画像を生成する。
【００６７】
表示画像生成部１１３は、アイコン１２７Ａ，１２８や、ゲームのリアルタイムランキング等を示すテキスト１２７Ｂを、表示部１２０が有する解像度に応じた解像動の画像とする。例えば、表示部１２０が有する解像度が８Ｋの場合には、表示画像生成部１１３は、８Ｋ解像度のアイコン１２７Ａ，１２８や、８Ｋ解像度のテキスト１２７Ｂを、含む表示画像を生成する。
【００６８】
ゲーム機器の映像を表示部１２０に表示する際には、ゲーム機器から送出される映像よりも高画質な映像を外部サーバ１８０等からは取得することができない。そのため、表示画像生成部１１３は、ゲーム映像１６６と同一の映像を表示エリア１２６に、ゲーム映像１６６の解像度のまま表示する。なお、図示は省略するが、テレビジョン受信機１００が、受信画像データを高画質化するアップコンバーターを備え、表示画像生成部１１３は、ゲーム機器からの映像を表示部１２０の有する解像度に応じた解像度にアップコンバートされた映像を含む表示画像を生成することができてもよい。
【００６９】
これらの構成によれば、表示制御装置１１０は、外部機器１５０Ｂからの映像をテレビジョン受信機１００の表示部１２０に表示する際に、外部機器１５０Ｂからの映像に加えて、当該映像に関連する種々の関連表示情報を映像と共に表示することができる。このように、表示制御装置１１０は、８Ｋ解像度等の表示部１２０が有する解像度の性能を引き出すことができる表示画像を生成するため、ユーザは、表示部１２０の性能を享受し、手軽に高画質の映像を楽しむことができる。
【００７０】
〔ソフトウェアによる実現例〕
表示制御装置１１０の制御ブロック（特に入力データ取得部１１１および関連情報取得部１１２、表示画像生成部１１３、及び表示制御部１１４）は、集積回路（ＩＣチップ）等に形成された論理回路（ハードウェア）によって実現してもよいし、ソフトウェアによって実現してもよい。
【００７１】
後者の場合、表示制御装置１１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７２】
〔まとめ〕
本発明の態様１に係る表示制御装置（１１０）は、入力データを取得する入力データ取得部（１１１）と、上記入力データ取得部（１１１）が取得した入力データを参照して、表示部（１２０）に表示する表示画像を生成する表示画像生成部（１１３）とを備え、上記入力データ取得部（１１１）が、上記表示部（１２０）が有する解像度よりも低い解像度を有する画像データを含む入力データを取得した場合、上記表示画像生成部（１１３）は、当該入力データを参照して関連表示情報を生成又は取得し、当該生成又は取得した関連表示情報を含む表示画像を生成する構成である。
【００７３】
上記の構成によれば、表示部が有する解像度よりも低い解像度を有する画像データを含む入力データを取得した場合、入力データを参照して生成又は取得した関連表示情報を含む表示画像を生成し、表示することができ、表示部の性能を引き出した映像表示を行うことができる。
【００７４】
本発明の態様２に係る表示制御装置（１１０）は、上記の態様１において、上記表示画像生成部（１１３）は、上記入力データに含まれるメタデータを参照して、上記関連表示情報を取得する構成としてもよい。
【００７５】
上記の構成によれば、入力データに含まれるメタデータを参照して取得した関連表示情報を含む表示画像を生成し、表示することができ、表示部の性能を引き出した映像表示を行うことができる。
【００７６】
本発明の態様３に係る表示制御装置（１１０）は、上記の態様１または２において、上記表示画像生成部（１１３）は、上記入力データに含まれる画像データを解析することにより、上記関連表示情報を生成する構成としてもよい。
【００７７】
上記の構成によれば、入力データに含まれる画像データを解析することにより生成した関連表示情報を含む表示画像を生成し、表示することができ、表示部の性能を引き出した映像表示を行うことができる。
【００７８】
本発明の態様４に係る表示制御装置（１１０）は、上記の態様１から３の何れか一項において、上記表示画像生成部（１１３）は、上記関連表示情報を含む画像であることを示す情報を含む上記表示画像を生成する構成としてもよい。
【００７９】
上記の構成によれば、ユーザは、表示部が有する解像度の性能を引き出した表示画像が表示されていることを認識することができる。
【００８０】
本発明の態様５に係る表示制御装置（１１０）は、上記の態様１から４の何れか一項において、上記表示画像生成部（１１３）は、上記関連表示情報であることを示すエフェクトを加えた上記表示画像を生成する構成としてもよい。
【００８１】
上記の構成によれば、ユーザは、表示部が有する解像度の性能を引き出した表示画像が表示されていることを認識することができる。
【００８２】
本発明の各態様に係る表示制御装置１１０は、コンピュータによって実現してもよく、この場合には、コンピュータを上記表示制御装置１１０が備える各部（ソフトウェア要素）として動作させることにより上記表示制御装置１１０をコンピュータにて実現させる表示制御装置１１０の制御プログラム、およびそれを記録したコンピュータ読み取り可能な記録媒体も、本発明の範疇に入る。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８４】
１００  テレビジョン受信機
１１０  表示制御装置
１１１  入力データ取得部
１１２  関連情報取得部
１１３  表示画像生成部
１１４  表示制御部
１２０  表示部
１５０、１５０Ａ、１５０Ｂ  外部機器
【図１】
2019125825.tif 000003
【図２】
2019125825.tif 000004
【図３】
2019125825.tif 000005
【図４】
2019125825.tif 000006
【図５】
2019125825.tif 000007
【図６】
2019125825.tif 000008